(57)【要約】【課題】  インナーキャップを装着していても眼鏡を容易に装着できると共に、作業中に顔面がどの方向を向いても安定して眼鏡の装着状態を維持することのできる衛生キャップを提供する。【解決手段】  装着者の毛髪及び両耳を覆うと共に、顔面が露出する開口縁を設けた衛生キャップにおいて、両耳を覆う帽体の両側頭部に眼鏡のつるを支持するつる掛け部材５が取り付けられる。このつる掛け部材５は、眼鏡が装着されたとき、帽体１の側頭部との取付部において眼鏡のつるを支持すると共に、周縁部７が弾性変形して眼鏡のつるを押止する。【選択図】  図３
2006193860.tif 000002
【特許請求の範囲】
【請求項１】
装着者の毛髪及び両耳を覆うと共に、顔面が露出する開口縁を設けた衛生キャップにおいて、
両耳を覆う帽体の両側頭部に眼鏡のつるを支持するつる掛け部材が取り付けられ、該つる掛け部材は、帽体側頭部との取付部において眼鏡のつるを支持すると共に、周縁部が弾性変形して眼鏡のつるを押止することを特徴とする衛生キャップ。
【請求項２】
前記つる掛け部材は、内側に窪み部を有するドーム状として形状され、前記窪み部が側頭部に向いた状態であり、且つ、ドーム形状の中央部において帽体側頭部に取り付けられたものである請求項１記載の衛生キャップ。
【請求項３】
樹脂製の吸盤を前記つる掛け部材として用いた請求項１又は２記載の衛生キャップ。
【発明の詳細な説明】
【技術分野】
【０００１】
本発明は、食品工場や製薬工場等のように衛生上の注意を払う必要がある場所、或いは半導体製造ライン等のように塵の飛散を回避する必要がある場所において、毛髪や頭垢の落下を防止するための衛生キャップに関し、特に眼鏡の装着性を改善する構造に関するものである。
【背景技術】
【０００２】
従来、装着者の頭頂部、後頭部及び両耳を含む側頭部を覆うと共に、顔面を露出する開口縁を設けた衛生キャップにおいて、帽体の左右に一対の眼鏡のつる挿入部を設け、該つる挿入部から眼鏡のつるを帽体内側に挿入することにより、開口縁が顔面に密着した状態のままで眼鏡を装着できるようにした衛生キャップが知られている（例えば、特許文献１を参照）。
【０００３】
ところが、両耳を覆うインナーキャップを装着した上に、更に上記衛生キャップを装着する場合、つる挿入部から眼鏡のつるを挿入してもインナーキャップがあることから、つるは両耳には掛からない。そのため、アウターキャップとなる衛生キャップにつる挿入部を設けてもインナーキャップを装着する場合には、眼鏡を装着することが困難であった。
【０００４】
一方、その問題を解決するために、衛生キャップの側頭部に対して直接眼鏡のつるを掛けるためのつる掛け部材を設けたものが知られている（例えば、特許文献２）。これによれば、衛生キャップの内側に両耳を覆うインナーキャップを装着した場合であっても、眼鏡のつるは前記つる掛け部材によって支持されるので、比較的容易に眼鏡を装着することができる。
【０００５】
【特許文献１】特開平８−１５８１３４号公報
【特許文献２】実用新案登録第３０６４３６８号公報
【発明の開示】
【発明が解決しようとする課題】
【０００６】
しかしながら、上記特許文献２の衛生キャップでは、つる掛け部材が耳部上方に向かって常時開口状態となるＶ字状に形成されるため、簡単に眼鏡の装着及び取り外しができる反面、作業中に眼鏡が脱落しやすいという欠点がある。特に衛生キャップを装着しての作業では顔面が下方を向くことが多くなるが、そのような下向きの作業中に眼鏡が落下しやすくなる。
【０００７】
本発明は、上記従来の問題点を解決することを目的としてなされたものであり、インナーキャップを装着しても眼鏡を容易に装着できると共に、作業中に顔面がどの方向を向いても安定して眼鏡の装着状態を維持することのできる衛生キャップを提供するものである。
【課題を解決するための手段】
【０００８】
上記目的を達成するため、本発明が解決手段として採用したところは、装着者の毛髪及び両耳を覆うと共に、顔面が露出する開口縁を設けた衛生キャップにおいて、両耳を覆う帽体の両側頭部に眼鏡のつるを支持するつる掛け部材が取り付けられ、該つる掛け部材は、帽体側頭部との取付部において眼鏡のつるを支持すると共に、周縁部が弾性変形して眼鏡のつるを押止することを特徴とする点にある。かかる解決手段を採用することにより、衛生キャップの側頭部で眼鏡のつるを支持することができるようになると共に、眼鏡を装着した状態では眼鏡のつるがつる掛け部材の周縁部によって押止された状態となり、眼鏡のつるの滑動を防止できる。
【０００９】
また、上記衛生キャップにおいては、つる掛け部材を、内側に窪み部を有するドーム状として形状し、前記窪み部が側頭部に向いた状態であり、且つ、ドーム形状の中央部においてつる掛け部材を帽体側頭部に取り付けるようにしても良い。この場合、眼鏡を装着すると、眼鏡のつるは窪み部によって形成される空隙に収容され、ドーム形状の周縁部が眼鏡のつるを押止する状態が良好に形成される。
【００１０】
また、上記衛生キャップにおいては、前記つる掛け部材として樹脂製の吸盤を用いることができることから、そのような構成を採用しても良い。
【発明の効果】
【００１１】
本発明に係る衛生キャップによれば、衛生キャップの側頭部で眼鏡のつるを支持することができるので、インナーキャップを装着した状態であっても容易に眼鏡を装着することができる。しかも眼鏡を装着した状態では、つる掛け部材の周縁部が眼鏡のつるを押止して滑動を防止するので、作業者の顔面がどの方向を向いても安定して眼鏡の装着状態を維持することができると共に、急激な動作が行われても眼鏡の落下を防止できる。
【００１２】
また、前記つる掛け部材として樹脂製の吸盤を用いることにより、簡単且つ安価につる掛け部材を設けた衛生キャップを構成することができる。
【発明を実施するための最良の形態】
【００１３】
以下図面に基づいて本発明の好ましい実施形態を詳述する。図１は本発明の一実施形態に係る衛生キャップの正面図であり、図２はその側面図である。この衛生キャップは、不織布や布帛等からなる帽体１が、装着者の頭頂部、後頭部及び側頭部を覆い、毛髪と両耳とを被包するように構成される。また帽体１は装着者の顔面を露出する開口縁２，３を有しており、開口縁２，３は装着状態において装着者の顔面周囲に密着し、帽体１の内側からの毛髪や頭垢等の落下を防止する。例えば、開口縁２は伸縮自在のゴム紐を縁部に沿って縫合することにより形成され、装着状態において頬や顎等に密着し、開口縁３は額部から両こめかみ部にかけて縫合されたパイル生地等、伸縮性を有する帯状布によって形成され、装着状態において額やこめかみ等に密着して汗等の吸湿作用を有するように構成される。そして帽体１の両耳を覆う左右の側頭部外面には眼鏡のつるを直接支持するためのつる掛け部材５が取り付けられる。
【００１４】
図３はつる掛け部材５及びその取り付け構造を示す拡大断面図である。つる掛け部材５は、図３に示す如く、弾性材料で、内側に窪み部が設けられたドーム状に形成されており、中央部から周縁部７に向かって漸次肉薄状に形成され、周縁部７が比較的高い柔軟性を示すように構成される。そしてつる掛け部材５のドーム形状を構成する窪み部が帽体１の側頭部に向いた状態であり、且つ、ドーム形状のほぼ中央部において帽体側頭部に取り付けられる。この取り付けは、例えば、つる掛け部材５のほぼ中央部に穿孔された複数の孔６に糸８を通し、帽体１の側頭部と縫合することによってなされるが、縫合以外の手法によって取り付けるようにしても構わない。
【００１５】
上記のような構造の衛生キャップを装着すると、つる掛け部材５と帽体１の側頭部との間には空隙９が生じ、本実施形態においては眼鏡を装着したとき、この空隙９に眼鏡のつるが収容される。衛生キャップを装着した状態で眼鏡を装着する際には、例えば作業者は以下のような操作を行うことになる。まず眼鏡の左右のつるを両手で持ち、それぞれのつるを左右のつる掛け部材５の上方位置まで持って行き、左右それぞれ１本の指をつる掛け部材５の周縁部７の上部に引掛け、それを外側に広げるようにしてつる掛け部材５の上部に挿入開口を形成し、その状態で左右のつるを下げるようにして前記挿入開口からつる掛け部材５の内側（即ち空隙９）に収容する。その後、つる掛け部材５から指を離すことにより、つる掛け部材５の周縁部７はその弾性力によって元の状態に復帰し、挿入開口を閉塞する。以上のような装着操作を行う際、つる掛け部材５の周縁部７は比較的高い柔軟性を示すように形成されているので、周縁部７を外側に広げるために大きな力を必要とせず、簡単な操作で眼鏡を装着できる。
【００１６】
上記のようにして眼鏡を装着すると、つる掛け部材５は、帽体１の側頭部との取付部において眼鏡のつるを支持すると共に、つる掛け部材５の周縁部７が弾性変形して眼鏡のつるを押止する。以下、この眼鏡の装着状態についてより詳しく説明する。
【００１７】
図４は眼鏡を装着した状態のつる掛け部材５を示す図であり、（Ａ）は衛生キャップを側面から見たときの拡大図、（Ｂ）は衛生キャップを正面から見たときの拡大図である。図示のように、衛生キャップを装着した状態で眼鏡を着用すると、眼鏡のつる１０はつる掛け部材５と帽体１との間の空隙９に収容され、糸８で縫合されたつる掛け部材５の取付部でつる１０を支持し、眼鏡の落下を防止する。また、つる掛け部材５の周縁部７において、つる１０の側面部と接触する部分は、図４（Ｂ）に示す如く、つる１０の厚みによって外側に押し広げられた状態になると共に、その接触部において周縁部７の弾性力は眼鏡のつる１０を帽体１の側頭部に押し付けるように作用して、眼鏡のつる１０を押止する。また、つる掛け部材５の周縁部７において眼鏡のつる１０との非接触部は、接触部近辺を除いて帽体１の側頭部にほぼ接触した状態となり、特につる掛け部材５における周縁部７の上部は、つる１０を収容した空隙９の上部を閉塞して眼鏡のつる１０が上方向に抜けることを防止する。
【００１８】
このように本実施形態の衛生キャップは、両側頭部の外面につる掛け部材５を設けているので、インナーキャップを装着していても眼鏡を容易に装着できるようになっている。そして衛生キャップに対して眼鏡を装着すると、つる掛け部材５の内側の空隙９に眼鏡のつる１０を収容すると共に、つる掛け部材５の周縁部７が眼鏡のつる１０と接触して、周縁部７の弾性力が眼鏡のつる１０を押し付けた状態で固定する。したがって、つる掛け部材５の周縁部７と眼鏡のつる１０との接触部において、眼鏡のつる１０が前後方向及び上下方向に滑ることを防止して安定した装着状態を継続し、装着者が下向きの姿勢で作業を行っても眼鏡のつる１０が落下することがなくなる。また、眼鏡を装着した状態において、空隙９の上部は周縁部７によってほぼ閉塞された状態となるので、眼鏡のつる１０の上方向への抜けが防止され、上下方向に急激な動作が行われた場合であっても眼鏡が落下することを防止する。
【００１９】
よって、本実施形態の衛生キャップによれば、インナーキャップを装着しても眼鏡を容易に装着できると共に、作業中に顔面がどの方向を向いても安定して眼鏡の装着状態を維持できるようになる。
【００２０】
本実施形態におけるつる掛け部材５として、上記構造を有する専用品を製作してもよいが、簡単には日用品等に広く使用されている樹脂製の吸盤を利用することができる。即ち、樹脂製の吸盤は、弾性材料でドーム状に形成されており、中央部から周縁部に向かって漸次薄肉となるように形成され、周縁部が比較的高い柔軟性を示すように構成されているという点で、本実施形態のつる掛け部材５に適した構造を有している。そして吸盤のほぼ中央部に穿孔し、縫合等によって帽体１の側頭部に取り付ければ、簡単且つ安価につる掛け部材５を実現することができる。尚、このような吸盤利用は、吸盤本来の機能を利用するものではない。
【図面の簡単な説明】
【００２１】
【図１】本発明の一実施形態に係る衛生キャップの正面図である。
【図２】本発明の一実施形態に係る衛生キャップの側面図である。
【図３】つる掛け部材及びその取り付け構造を示す拡大断面図である。
【図４】眼鏡を装着した状態のつる掛け部材を示す図である。
【符号の説明】
【００２２】
１    帽体
５    つる掛け部材
７    周縁部
８    糸（取付部）
９    空隙
１０  眼鏡のつる
【図１】
2006193860.tif 000003
【図２】
2006193860.tif 000004
【図３】
2006193860.tif 000005
【図４】
2006193860.tif 000006